(57)【要約】【課題】  写真撮影所の特性に合ったプリントを毎回均質にかつ効率よくプリントするラボシステムを提供する。【解決手段】  写真館２などの写真撮影者サイドから注文情報及び撮影画像についての画像情報を受け取って画像情報の画像のプリントのための画像を作成するラボシステム４で、写真撮影者に特有のプリント用調整情報を格納する撮影者情報格納部４０、５４、８８を有する。画像作成部は、注文情報格納部から注文情報を取り出すと共に画像情報格納部から画像情報を取り出して当該画像情報の画像を注文情報にしたがって作成するのだが、その作成の際に、撮影者情報格納部に格納されているプリント用調整情報に基づいて画像を作成することによって写真撮影者の特性に合わせた画像を作成する。写真撮影者の特性とは、撮影環境、撮影者の撮影のくせ、撮影者が希望する色合い・色調・トリミング・位置などを含む。【選択図】  図１
2005107999.tif 000002
【特許請求の範囲】
【請求項１】
写真撮影者サイドからオーダー情報及び画像情報を受け取って前記画像情報の画像のプリントに備えた画像を作成するラボシステムであって、
前記オーダー情報を格納するオーダー情報格納部と、
前記画像情報を格納する画像情報格納部と、
前記写真撮影者に特有のプリント用調整情報を格納する撮影者情報格納部と、
前記オーダー情報格納部からオーダー情報を取り出すと共に前記画像情報格納部から画像情報を取り出して当該画像情報の画像を前記オーダー情報にしたがって作成する際に、前記撮影者情報格納部に格納されている前記プリント用調整情報に基づいて画像を作成することによって前記写真撮影者の特性に合わせた画像を作成する画像作成部と、からなるラボシステム。
【請求項２】
前記画像作成部は、前記撮影者情報格納部に格納されている前記プリント用調整情報に基づいて画像を作成するときにさらに画像を微調整して画像を作成する請求項１のラボシステム。
【請求項３】
前記微調整の情報を前記撮影者情報格納部に格納して次回の画像作成の際に当該微調整の情報を前記プリント用調整情報に含ませる請求項２のラボシステム。
【請求項４】
写真撮影者サイドからオーダー情報及び画像情報を受け取って前記画像情報のプリント用画像を作成するラボシステムであって、
前記オーダー情報を格納するオーダー情報格納部と、
前記画像情報を格納する画像情報格納部と、
前記写真撮影者に特有のプリント用調整情報を格納する撮影者情報格納部と、
前記オーダー情報格納部からオーダー情報を取り出すと共に前記画像情報格納部から画像情報を取り出して当該画像情報の画像をサムネイル画像として前記オーダー情報にしたがって作成する際に、前記撮影者情報格納部に格納されている前記プリント用調整情報に基づいてサムネイル画像を作成することによって前記写真撮影者の特性に合わせたサムネイル画像を作成し、必要に応じて当該サムネイル画像を微調整するサムネイル画像作成部と、
前記サムネイル画像作成部でサムネイル画像を作成した作成情報にしたがってプリント用本画像を作成する本画像作成部と、
からなるラボシステム。
【請求項５】
前記微調整の情報を前記撮影者情報格納部に格納して次回のサムネイル画像作成の際に当該微調整の情報を前記プリント用調整情報に含ませる請求項４のラボシステム。
【請求項６】
前記ラボシステムは、さらにテンプレートを格納しているテンプレート格納部を有し、前記サムネイル画像作成部は、サムネイル画像を前記テンプレート格納部に格納されているテンプレートと合成した状態で作成する請求項４のラボシステム。
【請求項７】
写真撮影者サイドからオーダー情報及び画像情報を受け取ってオーダー情報格納部に前記オーダー情報を格納し、画像情報格納部に前記画像情報を格納して前記画像情報のプリント用画像を作成するプリント用画像作成方法であって、
前記オーダー情報格納部からオーダー情報を取り出す工程と、
前記画像情報格納部から画像情報を取り出す工程と、
前記画像情報の画像をサムネイル画像として前記オーダー情報にしたがって作成する際に、前記写真撮影者に特有のプリント用調整情報に基づいてサムネイル画像を作成することによって前記写真撮影者の特性に合わせたサムネイル画像を作成し、必要に応じて当該サムネイル画像を微調整する工程と、
前記サムネイル画像を作成した作成情報にしたがってプリント用本画像を作成する工程と、
からなるプリント用画像作成方法。
【請求項８】
前記微調整の情報を次回のサムネイル画像作成の際に前記プリント用調整情報に含ませる請求項７のプリント用画像作成方法。
【請求項９】
前記サムネイル画像を作成する工程において、サムネイル画像をテンプレート情報のテンプレートと合成した状態でサムネイル画像を作成する請求項７のプリント用画像作成方法。
【発明の詳細な説明】
【技術分野】
【０００１】
本発明は、写真館などの写真撮影者サイドで撮影された画像をプリントするための画像を作成するラボシステムに関する。
【背景技術】
【０００２】
従来、写真館や写真スタジオなどの写真撮影所で撮影された画像をプリントする際には、例えば、ラボシステムサイドでプリント用調整情報及びオーダー情報を写真撮影所から受け取ってジョブ登録し、写真撮影所においてフイルムカメラで撮影した場合は撮影した画像をラボシステムサイドでスキャナーでスキャニングし、写真撮影所においてデジタルカメラで撮影した場合は画像をラボシステムサイドで呼び込んで、ジョブ登録したプリント用調整情報及びオーダー情報と当該撮影画像とを合成してプリント画像を生成し、プリント出力していた。
【０００３】
上記プリント用調整情報には、色味、色調、コントラスト、デフォルト値などがあり、上記オーダー情報には、通常プリント・ポストカード・マグカップなどのプリント対象や四つ切・六つ切などのプリントの大きさ、写真レイアウトなどがある。
【０００４】
このうち、プリント用調整情報は、写真撮影所の撮影の傾向性やプリントの好みなどが写真撮影所によってまちまちなため、プリントする際にはその写真撮影所に合ったプリント用調整情報に基づいてプリントを行う必要がある。また、写真撮影所から直接プリント仕様を指定してくる場合もある。写真撮影所のこれらの特性（ニーズ）に合ったプリントを作成するために、従来はラボシステムにおいてその都度仕様を設定するか（下記特許文献１参照）、職人がプリント時に調整を施していた。
【０００５】
しかし、このような方法でのプリント作業は、その写真撮影所の特性に合ったプリントを毎回行わなければならない点及び効率性の点で改善の余地がある。
【特許文献１】特開２００３−３７７９８号公報
【発明の開示】
【発明が解決しようとする課題】
【０００６】
本発明は、上記の事情を考慮し、写真撮影所の特性に合ったプリントを毎回均質にかつ効率よくプリントするラボシステムを提供することを目的とする。
【課題を解決するための手段】
【０００７】
請求項１の本発明は、写真撮影者サイドからオーダー情報及び画像情報を受け取って前記画像情報の画像のプリントに備えた画像を作成するラボシステムであって、
前記オーダー情報を格納するオーダー情報格納部と、
前記画像情報を格納する画像情報格納部と、
前記写真撮影者に特有のプリント用調整情報を格納する撮影者情報格納部と、  
前記オーダー情報格納部からオーダー情報を取り出すと共に前記画像情報格納部から画像情報を取り出して当該画像情報の画像を前記オーダー情報にしたがって作成する際に、前記撮影者情報格納部に格納されている前記プリント用調整情報に基づいて画像を作成することによって前記写真撮影者の特性に合わせた画像を作成する画像作成部と、からなるラボシステム、からなる。
【０００８】
請求項１の本発明によれば、営業写真館などの写真撮影者サイドからオーダー情報（すなわち、注文情報）及び撮影画像についての画像情報を受け取って前記画像情報の画像のプリントのための画像を作成するラボシステムで、前記写真撮影者に特有のプリント用調整情報を格納する撮影者情報格納部を有する。前記画像作成部は、前記オーダー情報格納部からオーダー情報を取り出すと共に前記画像情報格納部から画像情報を取り出して当該画像情報の画像を前記オーダー情報にしたがって作成するのだが、その作成の際に、前記撮影者情報格納部に格納されている前記プリント用調整情報に基づいて画像を作成することによって前記写真撮影者の特性に合わせた画像を作成する。前記写真撮影者の特性とは、撮影環境、撮影者の撮影のくせ、撮影者が希望する色合い・色調・トリミング・位置などを含む。
【０００９】
前記画像作成部は、前記撮影者情報格納部に格納されている前記プリント用調整情報に基づいて画像を作成するときにさらに画像を微調整して画像を作成することができる。例えば、前記プリント用調整情報に基づいて画像を一旦作成したときに作成した画像に微細な調整を施すなどである。こうすれば、さらに所望の画像を得ることができる。
【００１０】
この微調整の情報を前記撮影者情報格納部に格納して次回の画像作成の際に当該微調整の情報を前記プリント用調整情報に含ませることができる。すなわち、微調整の内容を、当該写真撮影者からの次の画像情報についての画像作成に役立たせることができる。
【００１１】
請求項４の本発明は、写真撮影者サイドからオーダー情報及び画像情報を受け取って前記画像情報のプリント用画像を作成するラボシステムであって、
前記オーダー情報を格納するオーダー情報格納部と、
前記画像情報を格納する画像情報格納部と、
前記写真撮影者に特有のプリント用調整情報を格納する撮影者情報格納部と、  
前記オーダー情報格納部からオーダー情報を取り出すと共に前記画像情報格納部から画像情報を取り出して当該画像情報の画像をサムネイル画像として前記オーダー情報にしたがって作成する際に、前記撮影者情報格納部に格納されている前記プリント用調整情報に基づいてサムネイル画像を作成することによって前記写真撮影者の特性に合わせたサムネイル画像を作成し、必要に応じて当該サムネイル画像を微調整するサムネイル画像作成部と、
前記サムネイル画像作成部でサムネイル画像を作成した作成情報にしたがってプリント用本画像を作成する本画像作成部と、
からなるラボシステム、からなる。
【００１２】
請求項４の本発明によれば、営業写真館などの写真撮影者サイドからオーダー情報（すなわち、注文情報）及び撮影画像についての画像情報を受け取って前記画像情報の画像のプリントのための画像を作成するラボシステムで、前記写真撮影者に特有のプリント用調整情報を格納する撮影者情報格納部を有する。前記サムネイル画像作成部は、前記オーダー情報格納部からオーダー情報を取り出すと共に前記画像情報格納部から画像情報を取り出して当該画像情報の画像をサムネイル画像として前記オーダー情報にしたがって作成するのだが、その作成の際に、前記撮影者情報格納部に格納されている前記プリント用調整情報に基づいてサムネイル画像を作成することによって前記写真撮影者の特性に合わせたサムネイル画像を作成し、必要に応じて当該サムネイル画像を微調整する。前記写真撮影者の特性とは、撮影環境、撮影者の撮影のくせ、撮影者が希望する色合い・色調・トリミング・位置などを含む。前記本画像作成部は、前記サムネイル画像作成部でサムネイル画像を作成した作成情報にしたがってプリント用本画像を作成する。本発明によれば、まず前記プリント用調整情報に基づいてサムネイル画像を作成するので、前記プリント用調整情報を考慮した画像作成をデータ量が少ない状態でできる。その後、サムネイル画像を作成した作成情報にしたがってプリント用本画像を作成するので、データ量が多い画像の調整は本画像作成の時だけで済む。
【００１３】
前記微調整の情報を前記撮影者情報格納部に格納して次回のサムネイル画像作成の際に当該微調整の情報を前記プリント用調整情報に含ませることができる。すなわち、微調整の内容を、当該写真撮影者からの次の画像情報についての画像作成に役立たせることができる。
【００１４】
前記ラボシステムは、さらにテンプレートを格納しているテンプレート格納部を有し、前記サムネイル画像作成部は、サムネイル画像を前記テンプレート格納部に格納されているテンプレートと合成した状態で作成することができる。
【発明の効果】
【００１５】
請求項１の本発明によれば、写真撮影者の特性に合わせた画像を作成することができるので、最終的に写真撮影者の特性に合わせた画像のプリントを得ることができる。
【００１６】
請求項４の本発明によれば、まずプリント用調整情報に基づいてサムネイル画像を作成するので、プリント用調整情報を考慮した画像作成をデータ量が少ない状態ででき、その後、サムネイル画像を作成した作成情報にしたがってプリント用本画像を作成するので、データ量が多い画像の調整は本画像作成の時だけで済む。
【発明を実施するための最良の形態】
【００１７】
以下、添付図面に従って本発明の実施の形態を詳説する。
【００１８】
図１は、写真館システム２及びラボシステム４を示した図である。図５は、写真館での工程及びラボでの工程の概略を示したフローチャートである。
【００１９】
まず、図５を用いて写真館及びラボでの概略工程を説明する。
【００２０】
写真館で顧客の写真撮影を行うと、顧客別の画像管理を行う（ステップ２０２）。何枚か撮影したうちの候補画像を選択する（ステップ２０４）。注文情報に基づいて注文製品を選択する（ステップ２０６）。候補画像及び注文製品の情報を写真館からラボに送信する（ステップ２０８）。
【００２１】
ラボでは、候補画像及び注文製品の情報を写真館から受信する（ステップ２１０）。受信した注文製品の情報からプリントを行うについての請求書の処理を行う（ステップ２１２）。また、受信した候補画像及び注文製品の情報からラボ元画像を生成する（ステップ２１４）。ラボ元画像からマニュアル補正などを含めた個別ＪＯＢ画像を生成する（ステップ２１６）。その後、個別ＪＯＢ画像のプリント処理を行い（ステップ２１８）、出来上がったプリントを照合・加工・検品し（ステップ２２０）、出荷・納品し（ステップ２２２）、終了する。
【００２２】
次に、写真館およびラボでの詳細工程を説明する。
【００２３】
図１において、まず写真館で例えば、花嫁の婚礼撮影をデジタルカメラ１０によって行う。撮影した画像は、デジタルカメラ１０をＩＥＥＥ１３９４でパソコン１１に接続するなどしてパソコン１１にて各社デジタルカメラに対応した画像管理ソフト（撮影ソフト）１２を利用して見ることができる。上記ＩＥＥＥ１３９４の代わりにＵＳＢ(Universal Serial Bas)を用いてもよい。
【００２４】
パソコン１１には、図２に示すような表示画面の顧客別画像ファイリングソフト１４が格納されており、このソフト内にＩＣカード又は手入力により顧客情報を登録する。顧客情報としては、顧客ＩＤ、顧客名、顧客住所、電話番号などである。
【００２５】
なお、画像番号がデジタルカメラ１０の画像管理ソフト１２で撮影画像毎に付与されるようになっている。また、ＤＰ袋番号はデジタルカメラ１０が読むようになっている。画像識別番号はカメラ特定番号＋ＤＰ袋番号からなる。パソコン１１には、リネームソフトが格納されており、デジタルカメラ１０の番号（カメラ特定番号）とＤＰ袋番号とを合成してそれまでのＤＰ袋番号を画像番号順にリネームする機能を有している。このＤＰ袋番号には、写真館の店コードが含まれている。したがって、ＤＰ袋番号画像ごとに撮影画像の一つ一つについて固有の番号が付与され、画像管理される。
【００２６】
顧客別画像ファイリングソフト１４に格納された情報のうち、ファイル名、保存先、画像処理レベル、画像フォーマット、サイズ、サムネイル縮尺の各情報は、第１画像情報データベース１６に格納される。顧客情報、顧客撮影情報は、顧客情報データベース１８に格納される。撮影した画像のサムネイル画像は、仮画像保管ファイル２０に格納される。撮影された画像の本画像は、画像管理システム２４に取り込まれ、顧客別画像ファイリングソフト１４によって呼び出し可能になっており、店本画像保管ファイル２２に、ＲＡＷ、ＪＰＥＧ、ＴＩＦＦ、ＰＳＤ、ＢＭＰの各形態で格納される。
【００２７】
上記ファイル名・保存先・画像処理レベル・画像フォーマット・サイズ・サムネイル縮尺の各情報、顧客情報・顧客撮影情報、及びサムネイル画像は、プロ店頭オーダー登録ソフト２６に格納して呼び出すことができる。プロ店頭オーダー登録ソフト２６によって表示されたサムネイル画像を顧客に見せて、プリントする画像を店頭で選択させる。
【００２８】
プロ店頭オーダー登録ソフト２６によって、顧客情報、オーダー情報、ＤＰ袋番号、注文明細種情報、注文明細数量情報、注文明細の詳細組合せ情報、注文明細への選択画像情報、注文時の顧客選定画像情報は、第１注文情報データベース２８に保存される。
【００２９】
プロ店頭オーダー登録ソフト２６によって、オーダー関係の情報（すなわち、店舗情報、オーダー情報、オーダー明細、ページ明細、画像明細、選定画像明細）は、注文データファイル３０で作成、保存される。
【００３０】
店本画像保管ファイル２２に格納された本画像データ及び注文データは、暗号化されて圧縮され、ＷＥＢ（ウエブ）３２経由でラボシステム４に転送されるか、記録媒体３４に格納されてラボシステム４に持ち込まれる。
【００３１】
ラボシステム４では、プリント処理が行われる。
【００３２】
ラボシステム４では、転送された本画像データ及び注文データ、又は持ち込まれた記録媒体３４に格納された本画像データ及び注文データは、復号化されて解凍される。
【００３３】
このうち、注文データは、注文ファイル→ＤＢ（データベース）変換ソフト６２によって、顧客情報、オーダー情報、ＤＰ袋番号、注文明細種情報、注文明細数量情報、注文明細の詳細組合せ情報、注文明細への選択画像情報は、第２注文情報データベース６４に保存される。
【００３４】
第２注文情報データベース６４から請求情報、納期管理情報、工程情報が請求システムデータベース６６に格納され、ここから請求書発行処理６８がされる。
【００３５】
また、ラボ工程全体の自動工程ポイントで、プリント処理の各工程通過時にＤＰ番号をキーとして工程通過データ７０が生成され、請求システムデータベース６６に入力される。
【００３６】
第２注文情報データベース６４の情報は、デジタルプリンター用ＪＯＢデータの自動生成システム７２への自動変換をするプリント情報データベース７８に格納される。
【００３７】
一方、ラボシステム４に転送された本画像データ、又は持ち込まれた記録媒体３４に格納された本画像データは、店画像保管ファイル２２に格納されたまま、第２画像情報データベース６０に格納されると共に、撮影画像→ラボ共通画像への変換システム３８において画像変換情報データベース４０の画像種毎変換マスター、カメラ種毎変換マスター、写真館毎変換マスターにより、ＰＳＤファイルに変換される。これら３つのマスターの、画像種・カメラ種自動取得のためのデータベース、画像種・カメラ種毎の自動変換パラメータデータベース、及び写真館毎の自動変換パラメータデータベースにより、ＰＳＤファイルに変換される。ＰＳＤファイルへの変換は、元画像をラボシステム４用のフォーマットにすることである。
【００３８】
ＰＳＤに変換された本画像データは、中間画像保管ファイル４２に格納され、画像詳細情報データベース４４に格納される。
【００３９】
画像詳細情報データベース４４はＸＭＬ形式で来たデータをＲＤＢ(Relational DataBase) 形式に変換した形態のデータベースであり、このデータベース４４には、画像選定フラグ、タテヨコフラグ、画像回転フラグ、ポーズ、シーン、バック、写真館元画像からラボシステム元画像への変換情報（色調・濃度等補正量）、型物・ロケフラグが格納されている。
【００４０】
画像詳細情報データベース４４の本画像データにタテヨコ情報が存在するかどうか判断される（ステップ４６）。存在する場合は、タテヨコ自動回転処理システム４８において、写真館で回転指示情報を入力している場合になるので本画像に対して自動回転作業を行う。すなわち、写真館からの回転情報をここでキャンセルしすべて０°に再設定する。
【００４１】
その後、又はステップ４６でタテヨコ情報が存在しない場合は、画像の手動回転処理と画像調整パラメータ入力をするシステム５０において、タテヨコ手動回転（自動回転結果確認）及び０データ検索条件としてカテゴリー／ポーズ／バック選択をする。カテゴリーとは婚礼、七五三、卒業式などを指し、ポーズとは個人か集合かなどを指し、バックとは多人数、白ドレス、色ドレス、白打掛、色打掛などを指す。これらの諸条件を選択して画像詳細情報データベース４４に書き込むと共に次の処理に移行する。なお、このシステム５０における入力画面を図３に示す。
【００４２】
次の処理は、画像編集ソフト上でのプラグインソフトによる補正をする処理５２である。補正処理５２では、画像調整情報の調整レイヤー表示と手動調整を行うのだが、カラーマネージメント情報データベース５４に格納されている情報を利用して調整を行う。カラーマネージメント情報データベース５４には、写真館／カテゴリー／ポーズ／バック別の色調情報、濃度情報、階調情報、ソフトフィルター・紗入れ情報、セピア等カラー変換情報が格納されている。まず、カラーマネージメント情報データベース５４より調整レイヤー自動作成と表示し、その表示から画像手動補正（色調、濃度等）を調整レイヤーに対し行う。そして、スポット、レスキュー他の処理を行い、これら確定後のレイヤ統合とＢＭＰ（ビットマップ）出力をラボ元画像として行う。ここで変換された情報は、画像詳細情報データベース４４に書き込まれる。なお、これらの方法によらず、ルックアップテーブルで調整する方法もある。
【００４３】
ＢＭＰに変換された本画像データは、最終画像保管ファイル５６に格納され、第２画像情報データベース６０に格納される。このＢＭＰに変換された本画像データで各種の絶対的写真品質が定まる。
【００４４】
第２画像情報データベース６０には、ファイル名、保存先、画像処理レベル、画像フォーマット、サイズ、サムネイル縮尺の情報が格納されている。
【００４５】
ＢＭＰに変換された本画像データからは、最終サムネイル画像保管ファイル５８にサムネイル画像が作成され、当該ファイル５８はプリント元画像保管ファイル７４として、デジタルプリンター用ＪＯＢデータの自動生成システム７２の中に格納される。また、そのファイル５８は第２画像情報データベース６０にも格納される。
【００４６】
第２画像情報データベース６０の情報並びに画像詳細情報データベース４４の情報は、デジタルプリンター用ＪＯＢデータの自動生成システム７２の中の合成情報データベース７６に格納される。
【００４７】
デジタルプリンター用ＪＯＢデータの自動生成システム７２では、これまでのラボ工程システムで品質の確定した元画像（最終画像保管ファイル５６に格納された画像）を元にその元画像から多数製品処理を行うため、変換を行う際に、画像コピー等による分割処理を行う。トリミング、人寸指定などは元画像では絶対的な確定ができないため、この工程以降で個別に行う。
【００４８】
合成情報データベース７６に格納されている本画像データとプリント情報データベース７８に格納されている第２注文情報データベース６４の注文関係情報との合成についての可否判断を行う（ステップ８０）。
【００４９】
合成を否定（ＮＧ）の場合は、サムネイル画像での仮レイアウト画像自動生成処理８２において、トリミング手動設定画面表示用の仮合成画像を作成する。この仮合成画像はサムネイル画像である。写真館ですでに合成を行っていて合成座標がある場合は、その合成座標を使用するか否かを選択して合成を始める。
【００５０】
仮合成画像は、仮合成画像保管ファイル８４として作成される。
【００５１】
仮合成画像は、自動合成画像のレイアウト情報活用による手動レイアウト調整機能処理８６において、レイアウトマネージメント情報データベース８８に格納されている情報を基にトリミングの手動設定、テストプリント、仮画像での自動レイアウト合成結果表示と手動レイアウト修正、白黒・セピア変換、紗入れ・フィルター処理を行う。
【００５２】
レイアウトマネージメント情報データベース８８には、写真館／カテゴリー／ポーズ／バック別の人寸情報、倍率情報、天地空き幅情報、ソフトフィルター・紗入れ情報、セピア等カラー変換情報、トリミング注意事項、品質注意事項、レイアウト合成注意事項の各情報が格納されている。
【００５３】
図４は、トリミングの手動設定入力画面８５である。トリミングの手動設定は、図４に示すように、人寸、倍率、天地空き幅、左右空き幅、回転の各要素をもとに行う。テストプリントは、画像中の始点、終点を定めて始点と終点とを結ぶ線上の画像をプリントする（プリント処理９０）。例えば、婚礼時の親族写真の場合に、新郎、新婦の顔をプリントすることによって、その写真の重要な人物の顔の状態を確認できるようにする。
【００５４】
ここでの処理８６における修正結果は、すべて合成情報としてレイアウトマネージメント情報データベース８８に保存され、本画像での合成時に再現させる。また、ここでの修正情報は、第２注文情報データベース６４に格納される。
【００５５】
ステップ８０で本画像合成ＯＫの場合、又は上記処理８６を経た場合は、最終元画像での本番レイアウト画像自動生成を行う処理９２において、合成情報データベース７６に格納されているＢＭＰ本画像を使用し、最終プリント出力をするための合成画像を作成する。ここでの処理は、上記処理８６を経た場合は、レイアウトマネージメント情報データベース８８に格納されたデータをカスタマイズした情報がいく。
【００５６】
処理９２で作成された本画像の合成画像は、最終合成画像保管ファイル９４として作成される。
【００５７】
次に、合成画像を校正する処理９６が行われる。ここでは最終的に画像を微調整すると共にデザインアルバムへの文字入れ等の作業を行う。
【００５８】
その後、仕上がり具合をみてプリント可否を判断し（ステップ９８）、プリント否定の場合は処理８６を行い、プリントＯＫの場合は製品別のロット振り分けを行なう（ステップ１００）。
【００５９】
その後、プリント処理を行い（ステップ１０２）、複合製品の場合は照合を行い（ステップ１０４）、アルバム加工等の加工作業を行い（ステップ１０６）、出荷する（ステップ１０８）。
【００６０】
本形態によれば、ラボシステム４が写真館毎の画像作成・プリント上のデータベースをもっているので、撮影画像のレイアウト合成が各写真館の要請に合ったものにできると共に、ラボシステムでのレイアウト決定の際の各種ラボ標準値を適宜使用できるので、各写真館の画像作成やプリント上のニーズ、傾向性、好みを反映させつつも効率的なラボシステム運営を行うことができる。
【図面の簡単な説明】
【００６１】
【図１】写真館システム及びラボシステムを示した図。
【図２】顧客別画像ファイリングソフトの表示画面を示した図。
【図３】画像の手動回転処理と画像調整パラメータ入力をするシステムにおける入力画面を示した図。
【図４】トリミングの手動設定入力画面を示した図。
【図５】写真館での工程及びラボでの工程の概略を示したフローチャート。
【符号の説明】
【００６２】
２…写真館、４…ラボシステム、２２…店本画像保管ファイル、３０…注文データファイル、４０…画像変換情報データベース、４４…画像詳細情報データベース、５４…カラーマネージメント情報データベース、６０…第２画像情報データベース、６４…第２注文情報データベース、７２…デジタルプリンター用ＪＯＢデータの自動生成システム、７６…合成情報データベース、７８…プリント情報データベース、８８…レイアウトマネージメント情報データベース
【図１】
2005107999.tif 000003
【図２】
2005107999.tif 000004
【図３】
2005107999.tif 000005
【図４】
2005107999.tif 000006
【図５】
2005107999.tif 000007